(57)【要約】  音響特性を維持したまま小型化を図ることができる電気機械音響変換器の実装構造を提供する。  筐体１１の内面１１ｂに壁部１９を介して取り付けられているフレーム１２に、有底筒状のヨーク１３をその底部１３ｂが筐体１１側に近付く方向で取り付けたので、電気機械音響変換器の厚さを増すことなくヨーク１３と壁部１９との間に音通路１４が形成されることになる。これにより、良好な音響特性を得ることができる。あるいは、電気機械音響変換器を小型化しても音通路１４を確保することができるので、音響特性を維持して小型化を図ることができる。
2007135740.tif 000002
【特許請求の範囲】
【請求項１】
放音孔が設けられた筐体に収容される電気機械音響変換器の実装構造であって、
前記筐体の内面に取り付けられた略中空板状のフレームと、
前記フレームの中空部に対応して支持された有底筒状のヨークと、
前記ヨークの内側面との間に磁気空隙を形成するように前記ヨークの底部に設けられたマグネットと、
前記マグネットの端面に設けられたプレートと、
前記磁気空隙に挿入されたボイスコイルと、
前記ボイスコイルに接続されるとともに前記フレームに支持された振動板と、
前記振動板を保護するために前記フレームに設けられたプロテクタと、
前記プロテクタに設けられた第１通気孔と、
前記フレームに設けられた第２通気孔とを備え、
前記ヨークの前記底部が前記筐体の内面に対して近付く方向を向くように配置されているとともに、前記フレームおよび前記筐体間に壁部が設けられていることを特徴とする電気機械音響変換器の実装構造。
【請求項２】
前記筐体と前記ヨークの前記底部との間に粘着性を有する介装部材が挟持されていることを特徴とする請求項１に記載の電気機械音響変換器の実装構造。
【請求項３】
前記壁部が弾性を有することを特徴とする請求項１および請求項２のうちのいずれかに記載の電気機械音響変換器の実装構造。
【請求項４】
前記壁部が吸振性を有することを特徴とする請求項１および請求項２のうちのいずれかに記載の電気機械音響変換器の実装構造。
【請求項５】
前記プロテクタに設けられたプロテクタ切欠部を有し、前記プロテクタ切欠部が前記ボイスコイルの移動方向に対して交差する方向に沿って前記プロテクタの表裏を連通するように設けられていることを特徴とする請求項１および請求項４のうちのいずれかに記載の電気機械音響変換器の実装構造。
【請求項６】
前記フレームが、厚み方向に立ち上がる立上部と、前記立上部に設けられたフレーム切欠部とを有し、
前記フレーム切欠部が前記ボイスコイルの移動方向に対して交差する方向に沿って前記立上部の内外を連通するように設けられていることを特徴とする請求項１および請求項４のうちのいずれかに記載の電気機械音響変換器の実装構造。
【請求項７】
前記フレームと、前記筐体に収容された電子部品との間に介装された支持部材を備え、  前記支持部材が弾性を有することを特徴とする請求項１および請求項６のうちのいずれかに記載の電気機械音響変換器の実装構造。
【請求項８】
前記フレームと、前記筐体に収容された電子部品との間に介装された支持部材を備え、  前記支持部材が吸振性を有することを特徴とする請求項１および請求項６のうちのいずれかに記載の電気機械音響変換器の実装構造。
【発明の詳細な説明】
【技術分野】
【０００１】
本発明は、放音孔が設けられた筐体に収容されるスピーカやマイクロフォン等の電気機械音響変換器の実装構造に関するものである。
【背景技術】
【０００２】
図１０に示すように、従来の一般的な電気機械音響変換器であるスピーカ１００は、放音孔１０１ａが中央部に設けられた筐体１０１を有しており、筐体１０１の内面１０１ｂには立上部１０２を介して略板状のフレーム１０３が取り付けられて内部空間１０４を形成している。
フレーム１０３の中央部には内部空間１０４に対応して支持された有底筒状のヨーク１０５が取り付けられており、ヨーク１０５の底部１０５ａ内側にはマグネット１０６が取り付けられていて、ヨーク１０５の内側面とマグネット１０６との間に磁気空隙１０７を形成している。【０００３】
なお、マグネット１０６の先端面にはプレート１０８が取り付けられている。磁気空隙１０７にはボイスコイル１０９が挿入されて一端がヨーク１０５の底部１０５ａに取り付けられており、ボイスコイル１０９の他端は振動板１１０の中央部に取り付けられている。
振動板１１０の前方には、振動板１１０を保護するためのプロテクタ１１１が設けられており、プロテクタ１１１には第１通気孔１１１ａ設けられ、フレーム１０３には第２通気孔１０３ａが設けられている。【０００４】
このようなスピーカ１００では、ヨーク１０５の底部１０５ａが筐体１０１の内面１０１ｂから遠ざかる方向(図１０において下方)を向くように配置されているとともに、フレーム１０３に対してヨーク１０５が小径であるため、フレーム１０３と、筐体１０１に収容された他の電子部品Ｍとの間に空間が形成されている。
ここで、良好な音響特性を得るには、第２通気孔１０３ａから筐体１０１の内部空間１０４へ放音された音をより良く共鳴させるため、第２通気孔１０３ａの周辺に、十分な空間を確保する必要があることは一般的に知られている（例えば、特許文献１参照）。
【特許文献１】特開２００２−１７１５９６号報
【発明の開示】
【発明が解決しようとする課題】
【０００５】
ところで、電気機械音響変換器としてスピーカ１００等を搭載した近年の携帯端末装置では小型化が求められているが、第２通気孔１０３ａの周辺に十分な空間を確保することは筐体１０１の小型化が妨げられるという不都合がある。【０００６】
本発明は、従来の問題を解決するためになされたものであり、その目的は、音響特性を維持したまま小型化を図ることができる電気機械音響変換器の実装構造を提供することにある。
【課題を解決するための手段】
【０００７】
本発明の電気機械音響変換器の実装構造は、放音孔が設けられた筐体に収容される電気機械音響変換器の実装構造であって、前記筐体の内面に取り付けられた略中空板状のフレームと、前記フレームの中空部に対応して支持された有底筒状のヨークと、前記ヨークの内側面との間に磁気空隙を形成するように前記ヨークの底部に設けられたマグネットと、  前記マグネットの端面に設けられたプレートと、前記磁気空隙に挿入されたボイスコイルと、前記ボイスコイルに接続されるとともに前記フレームに支持された振動板と、前記振動板を保護するために前記フレームに設けられたプロテクタと、前記プロテクタに設けられた第１通気孔と、前記フレームに設けられた第２通気孔とを備え、前記ヨークの前記底部が前記筐体の内面に対して近付く方向を向くように配置されているとともに、前記フレームおよび前記筐体間に壁部が設けられている構成を有している。【０００８】
この構成により、筐体の内面に壁部を介して取り付けられているフレームに、有底筒状のヨークをその底部が筐体側に近付く方向で取り付けたので、電気機械音響変換器の厚さを増すことなくヨークと壁部との間に音通路が形成されることになる。
これにより、良好な音響特性を得ることができる。あるいは、電気機械音響変換器を小型化しても音通路を確保することができるので、音響特性を維持して小型化を図ることができる。【０００９】
また、本発明の電気機械音響変換器の実装構造は、前記筐体と前記ヨークの前記底部との間に粘着性を有する介装部材が挟持されている構成を有している。【００１０】
さらに、本発明の電気機械音響変換器の実装構造は、前記壁部が弾性を有する構成を有している。【００１１】
さらに、本発明の電気機械音響変換器の実装構造は、前記壁部が吸振性を有する構成を有している。【００１２】
本発明の電気機械音響変換器の実装構造は、前記プロテクタに設けられたプロテクタ切欠部を有し、前記プロテクタ切欠部が前記ボイスコイルの移動方向に対して交差する方向に沿って前記プロテクタの表裏を連通するように設けられている構成を有している。【００１３】
また、本発明の電気機械音響変換器の実装構造は、前記フレームが、厚み方向に立ち上がる立上部と、前記立上部に設けられたフレーム切欠部とを有し、前記フレーム切欠部が前記ボイスコイルの移動方向に対して交差する方向に沿って前記立上部の内外を連通するように設けられている構成を有している。【００１４】
さらに、本発明の電気機械音響変換器の実装構造は、前記フレームと、前記筐体に収容された電子部品との間に介装された支持部材を備え、前記支持部材が弾性を有する構成を有している。【００１５】
さらに、本発明の電気機械音響変換器の実装構造は、前記フレームと、前記筐体に収容された電子部品との間に介装された支持部材を備え、前記支持部材が吸振性を有する構成を有している。
【発明の効果】
【００１６】
本発明は、筐体の内面に壁部を介して取り付けられているフレームに、有底筒状のヨークをその底部が筐体側に近付く方向で取り付けたので、電気機械音響変換器の厚さを増すことなくヨークと壁部との間に音通路が形成されることになり、良好な音響特性を得ることができる。あるいは、電気機械音響変換器を小型化しても音通路を確保することができるので、音響特性を維持して小型化を図ることができるという効果を有する電気機械音響変換器の実装構造を提供することができるものである。
【図面の簡単な説明】
【００１７】
【図１】本発明の第１実施形態に係る電気機械音響変換器の実装構造を示す構造図
【図２】本発明の第１実施形態の音圧周波数特性をしめすグラフである。
【図３】本発明の第２実施形態に係る電気機械音響変換器の実装構造を示す構造図である。
【図４】本発明の第３実施形態に係る電気機械音響変換器の実装構造を示す構造図である。
【図５】本発明の第４実施形態に係る電気機械音響変換器の実装構造を示す構造図である。
【図６】本発明の第５実施形態に係る電気機械音響変換器の実装構造を示す構造図である。
【図７】本発明の第６実施形態に係る電気機械音響変換器の実装構造を示す構造図である。
【図８】本発明の第７実施形態に係る電気機械音響変換器の実装構造を示す構造図である。
【図９】本発明の第８実施形態に係る電気機械音響変換器の実装構造を示す構造図である。
【図１０】従来の構成における電気機械音響変換器の実装構造を示す構造図である。
【符号の説明】
【００１８】
１０  電気機械音響変換器の実装構造
１１  筐体
１１ａ  放音孔
１２  フレーム
１２ａ  第２通気孔
１３  ヨーク
１３ａ  内側面
１３ｂ  底部
１５  マグネット
１５ａ  端面
１５ｂ  プレート
１５ｃ  磁気空隙
１６  ボイスコイル
１７  振動板
１８  プロテクタ
１８ａ  第１通気孔
１９  壁部
２１  介装部材
５１  プロテクタ切欠部
６１  立上部
６２  フレーム切欠部
７１  支持部材
８１  支持部材
Ｍ  電子部品
【発明を実施するための最良の形態】
【００１９】
以下、本発明の実施形態の電気機械音響変換器の実装構造について、図面を用いて説明する。【００２０】
（第１実施形態）
本発明の第１実施形態の電気機械音響変換器の実装構造を図１に示す。
図１において、第１実施形態に係るスピーカやマイクロフォン等の電気機械音響変換器の実装構造１０は、放音孔１１ａが設けられた筐体１１の内面１１ｂに取り付けられた略中空板状のフレーム１２と、このフレーム１２の中空部に対応して支持された有底筒状のヨーク１３と、このヨーク１３の内側面１３ａとの間に磁気空隙１５ｃを形成するようにヨーク１３の底部１３ｂに設けられたマグネット１５と、マグネット１５の端面１５ａに設けられたプレート１５ｂと、磁気空隙１５ｃに挿入されたボイスコイル１６と、このボイスコイル１６に接続されるとともにフレーム１２に支持された振動板１７と、この振動板１７を保護するためにフレーム１２に設けられたプロテクタ１８とを備えている。【００２１】
プロテクタ１８には第１通気孔１８ａが設けられ、フレーム１２には第２通気孔１２ａが設けられている。
そして、ヨーク１３の底部１３ｂが筐体１１の内面１１ｂに対して近付く方向（図１では上方向）を向くように配置されているとともに、フレーム１２および筐体１１間に壁部１９が設けられている。【００２２】
筐体１１には、例えば中心線ＣＬを中心とした円を複数に分割した部分円弧状に切欠いた放音孔１１ａが設けられている。壁部１９は、放音孔１１ａの外側に同心円状に設けられており、壁部１９の内側端面にフレーム１２が取り付けられている。
フレーム１２に設けられている第２通気孔１２ａは、壁部１９の内側において筐体１１の放音孔１１ａに対向して部分円弧状に切り欠いて設けられている。【００２３】
フレーム１２の中央部は円形に切りかかれており、有底筒状のヨーク１３が筐体１１側に突出するように設けられている。
従って、筐体１１、壁部１９、フレーム１２およびヨーク１３の縦壁部１３ｃによって四方を囲まれた音通路１４が形成され、音通路１４の前面には放音孔１１ａ、後面には第２通気孔１２ａが設けられることになる。【００２４】
フレーム１２に設けられている第２通気孔１２ａは、フレーム１２と振動板１７との間の空気を逃がすためのものであり、振動板１７により発せられた音を音通路１４を介して放音孔１１ａに導く。
一方、プロテクタ１８には第１通気孔１８ａが設けられており、立上り部１８ｂおよび鍔部１８ｃを介してフレーム１２の下面に取り付けられている。第１通気孔１８ａは、振動板１７とプロテクタ１８との間の空気を逃がすためのものであり、例えば、プロテクタ１８の全面にわたって円形等の貫通孔を複数個設けてある。【００２５】
なお、第２通気孔１２ａから放音された音と第１通気孔１８ａから放音された音とが互いに位相干渉を起こさぬように、音通路１４に面するフレーム１２の接合部には、気密性が必要となる。そのため、例えばフレーム１２と壁部１９との間の接合部には、互いに突設させた形状を組み合わせたり、粘着性のある両面テープなどを使用して気密性を確保することが望ましい。【００２６】
また、第１通気孔１８ａから放音された音を筐体１１内部の空間でより良く共鳴させるために、第１通気孔１８ａには、十分に大きな面積を確保した切欠きを設けることが望ましい。【００２７】
さらに、プロテクタ１８は、特定の材料や形状に限定されるものではないが、例えば金属等で形成し、厚みは電気機械音響変換器の放音によって異常音が発生しない程度の厚みを確保することが望ましい。【００２８】
また、プロテクタ１８と筐体１１内部の部品Ｍとの隙間は、電気機械音響変換器の放音によってプロテクタ１８が振動して部品Ｍと接触して異常音が発生しない程度の最低限の隙間を確保することが望ましい。【００２９】
次に、図１に基づいて、電気機械音響変換器の実装構造１０の動作について説明する。
電気機械音響変換器としては例えば動電形スピーカを例示することができる。この動電形スピーカにおける磁気空隙１５ｃに挿入されたボイスコイル１６に電気信号が印加されると、ボイスコイル１６に駆動力が発生し、ボイスコイル１６に接続された振動板１７が振動してフレーム１２内部の空気に圧力変化を発生させる。この圧力変化は、第２通気孔１２ａを介して音通路１４および放音孔１１ａを経て筐体１１の外部空間へ音を発生する。
一方、第１通気孔１８ａを介し発生した音は筐体１１内部で共鳴する。このとき、第１通気孔１８ａ周辺の容積が大きいほど良好な音響特性が得られる。【００３０】
次に、本発明に係る電気機械音響変換器の実装構造１０の音響特性について、図２を参照して、実験解析を用いて説明する。
図２は、図１０に示した従来の電気機械音響変換器であるスピーカ１００と、図１において前述した本発明の電気機械音響変換器の実装構造１０における、音圧周波数特性を示す相関図である。なお、以下に示す具体的な数値は、あくまで本発明の効果を定量的に把握するために設定した数値であり、数値そのものは例示であって、これら個別の数値が本発明の本質に対するいかなる制約にもならないものである。【００３１】
図２の実験解析において、従来のスピーカ１００および本発明の電気機械音響変換器の実装構造１０は、ともに口径φ１４ｍｍ、厚みｔ２．９ｍｍの動電形スピーカを用いており、筐体１１、１０１の形状は同一とする。また、筐体１１、１０１と筐体内部の部品Ｍとの距離は３．５ｍｍと同一である。
ただし、従来のスピーカ１００では、筐体１０１とプロテクタ１１１との隙間を０．５ｍｍ、ヨーク１０５と筐体内部の部品Ｍとの隙間を０．１ｍｍとする。【００３２】
本発明の電気機械音響変換器の実装構造１０では、筐体１１とヨーク１３との隙間を０．１ｍｍ、プロテクタ１８と筐体内部の部品Ｍとの隙間を０．５ｍｍとする。
そして、放音孔１１ａから０．１ｍ離れた位置にそれぞれ同機種のマイクを設置して、従来のスピーカ１００と本発明の電気機械音響変換器の実装構造１０に、ともに０．２Ｗの電力を印加した設定で実験解析を行った。【００３３】
図２において破線で示す特性Ｉは、従来のスピーカ１００の測定結果である。特性IIは実線で示されており、本発明の電気機械音響変換器の実装構造１０の測定結果である。
図２に示すように、特性IIは特性Ｉに比べ、約１０００Ｈｚ〜５０００Ｈｚにおいて音圧レベルが約１ｄＢ向上している。これは、一般的には、電気機械音響変換器と筐体内部の部品Ｍとの隙間が狭くなるにつれて、各通気孔１８ａ、１２ｂ、１１１ａ、１０３ａからの空気が逃げ難くなり、音圧の劣化を招くことを意味している。
しかし、本発明に係る電気機械音響変換器の実装構造１０においては、第２通気孔１２ｂに比べ第１通気孔１８ａの開口面積が約２〜５倍大きいため、従来のスピーカ１００に比べ本発明に係る電気機械音響変換器の実装構造１０では第１通気孔１８ａからの空気の逃げが容易となり、音圧の劣化は少なくなる。【００３４】
仮に、従来のスピーカ１００と同一の音圧の劣化を許容するならば、本発明の電気機械音響変換器の実装構造１０ではプロテクタ１８と筐体１１内部の部Ｍとの隙間を縮めることが可能であり、さらに薄型化が可能となる。【００３５】
また、動電形スピーカは、マグネット１５、１０６を構成部品とするため、筐体１１、１０１の外部に対して漏洩磁束を発生する。
ここで、従来のスピーカ１００において筐体１０１と対向する部品はプロテクタ１１１であり、本発明に係る電気機械音響変換器の実装構造１０において筐体１１と対向する部品はヨーク１３である。各々の部品ともに特定の材料や形状に限定されるものではないが、例えば同一の金属で形成した場合、プロテクタ１１１に比べヨーク１３の厚みは約２倍〜４倍厚いため、筐体１１の外部に対する漏洩磁束は約３０％軽減することになる。
これは、磁気記憶型の非接触ＩＣカードの信頼性に対して有意である。【００３６】
次に、本発明に係る電気機械音響変換器の実装構造１０においては、第１通気孔１８ａに比べ第２通気孔１２ａの開口面積が約１／２〜１／５と小さくすることにより、放音孔１１ａから鋭利な物が挿入した場合、第２通気孔１２ａが振動板１７を保護する可能性も高まる。
これは、カバンの中に機器を入れておいた場合等の信頼性に対して有意である。【００３７】
以上、説明した電気機械音響変換器の実装構造１０によれば、筐体１１の内面１１ｂに壁部１９を介して取り付けられているフレーム１２に、有底筒状のヨーク１３をその底部１３ｂが筐体１１側に近付く方向で取り付けたので、電気機械音響変換器の厚さを増すことなくヨーク１３と壁部１９との間に十分な空間を有する音通路１４が形成されることになる。
これにより、良好な音響特性を得ることができる。あるいは、電気機械音響変換器を小型化しても音通路１４を確保することができるので、音響特性を維持して小型化を図ることができる。【００３８】
（第２実施形態）
次に、本発明の第２実施形態に係る電気機械音響変換器の実装構造について説明する。
図３には、第２実施形態に係る電気機械音響変換器の実装構造２０が示されている。なお、前述した第１実施形態に係る電気機械音響変換器の実装構造１０と共通する部位には同じ符号を付して重複する説明を省略することとする。【００３９】
この電気機械音響変換器の実装構造２０では、筐体１１とヨーク１３の底部１３ｂとの間に粘着性を有する介装部材２１が挟持されている。
この粘着材２１は、例えば粘着性のある両面テープなどを使用して安定した接着を確保することが望ましい。
なお、電気機械音響変換器の実装構造２０の動作は、前述した第１実施形態で説明した電気機械音響変換器の実装構造１０と同様である。【００４０】
以上、説明した本発明の第２実施形態に係る電気機械音響変換器の実装構造２０によれば、前述した第１実施形態と同様に、音響性能を確保できるとともに防磁性および防塵性を向上でき、かつ、筐体１１とヨーク１３の底部１３ｂとの間に粘着性を有する介装部材２１を設けることにより、筐体１１に対してヨーク１３を固定できる。【００４１】
（第３実施形態）
次に、本発明の第３実施形態に係る電気機械音響変換器の実装構造について説明する。
図４には、第３実施形態に係る電気機械音響変換器の実装構造３０が示されている。なお、前述した第１実施形態あるいは第２実施形態に係る電気機械音響変換器の実装構造１０、２０と共通する部位には同じ符号を付して重複する説明を省略することとする。【００４２】
この電気機械音響変換器の実装構造３０では、壁部３１が弾性を有する部材から構成されている。
すなわち、音通路１４の一側面を弾性部材によって構成している。この弾性体は、特定の材料や形状に限定されるものではないが、例えば発泡ウレタンゴム等で形成し、電気機械音響変換器のフレーム１２と筐体１１とで挟持させ気密性を確保することが望ましい。【００４３】
また、弾性体である壁部３１と接触するフレーム１２と筐体１１は、粘着性のある両面テープなどを使用して気密性を確保することが望ましい。
なお、電気機械音響変換器の実装構造３０の動作は、第１実施形態で前述した電気機械音響変換器の実装構造１０と同じである。【００４４】
以上、説明した本発明の第３実施形態に係る電気機械音響変換器の実装構造３０によれば、前述した第１実施形態と同様に、音響性能を確保できるとともに防磁性および防塵性を向上でき、かつ、壁部３１が弾性を有するため耐震性を向上できる。【００４５】
（第４実施形態）
次に、本発明の第４実施形態に係る電気機械音響変換器の実装構造について説明する。
図５には、第４実施形態に係る電気機械音響変換器の実装構造４０が示されている。
なお、前述した第１実施形態〜第３実施形態に係る電気機械音響変換器の実装構造１０、２０、３０と共通する部位には同じ符号を付して重複する説明を省略することとする。【００４６】
この電気機械音響変換器の実装構造４０では、壁部４１が吸振性を有する部材から構成されている。この吸振性を有する壁部４１は、特定の材料や形状に限定されるものではないが、例えばシリコン系のゲル状素材等で形成し、フレーム１２と筐体１１とで挟持させ気密性を確保することが望ましい。また、壁部４１と接触するフレーム１２と筐体１１には、互いに突設させた形状によって気密性を確保することが望ましい。
なお、電気機械音響変換器の実装構造４０の動作は、第１実施形態で前述した電気機械音響変換器の実装構造１０と同じである。【００４７】
以上、説明した本発明の第４実施形態に係る電気機械音響変換器の実装構造４０によれば、前述した第１実施形態と同様に、音響性能を確保できるとともに防磁性および防塵性を向上でき、かつ、壁部４１が吸振性を有するため耐震性を向上できる。【００４８】
（第５実施形態）
次に、本発明の第５実施形態に係る電気機械音響変換器の実装構造について説明する。
図６には、第５実施形態に係る電気機械音響変換器の実装構造５０が示されている。なお、前述した第１〜第４実施形態に係る電気機械音響変換器の実装構造１０、…、４０と共通する部位には同じ符号を付して重複する説明を省略することとする。【００４９】
この電気機械音響変換器の実装構造５０では、プロテクタ１８に設けられたプロテクタ切欠部５１を有し、このプロテクタ切欠部５１が、ボイスコイル１６の移動方向(図６において上下方向)に対して交差する方向(図６において左右方向)に沿ってプロテクタ１６の表裏を連通するように設けられている。このプロテクタ切欠部５１は、特定の形状に限定されるものではないが、例えばプロテクタ１８の立上り部１８ｂを図６中水平方向に貫通して、第１通気孔１８ａからの空気の逃げがより容易になるようにしている。
なお、電気機械音響変換器の実装構造５０の動作は、第１実施形態で前述した電気機械音響変換器の実装構造１０と同じである。【００５０】
以上、説明した本発明の第５実施形態に係る電気機械音響変換器の実装構造５０によれば、前述した第１実施形態と同様に、音響性能を確保できるとともに防磁性および防塵性を向上でき、かつ、プロテクタ１８にプロテクタ切欠部５１を設けることにより、空気の逃げがより容易となって音響性能を向上できる。【００５１】
（第６実施形態）
次に、本発明の第６実施形態に係る電気機械音響変換器の実装構造について説明する。
図７には、第６実施形態に係る電気機械音響変換器の実装構造６０が示されている。なお、前述した第１〜第５実施形態に係る電気機械音響変換器の実装構造１０、…、５０と共通する部位には同じ符号を付して重複する説明を省略することとする。【００５２】
この電気機械音響変換器の実装構造６０では、フレーム１２が、厚み方向に立ち上がる立上部６１と、この立上部６１に設けられたフレーム切欠部６２とを有し、フレーム切欠部６２がボイスコイル１６の移動方向に対して交差する方向(図７において左右方向)に沿って立上部６１の内外を連通するように設けられている。このフレーム切欠部６２は、特定の形状に限定されるものではないが、電気機械音響変換器の水平方向に向け、第１通気孔１８ａからの空気の逃げがより容易になるように設けることが望ましい。
なお、電気機械音響変換器の実装構造６０の動作は、第１実施形態で前述した電気機械音響変換器の実装構造１０と同じである。【００５３】
以上、説明した本発明の第６実施形態に係る電気機械音響変換器の実装構造６０によれば、前述した第１実施形態と同様に、音響性能を確保できるとともに防磁性および防塵性を向上でき、かつ、フレーム１２に厚み方向に立ち上がる立上部６１を設け、この立上部６１にフレーム切欠部６２を設けることにより、空気の逃げがより容易となって音響性能を向上できる。【００５４】
（第７実施形態）
次に、本発明の第７実施形態に係る電気機械音響変換器の実装構造について説明する。
図８には、第７実施形態に係る電気機械音響変換器の実装構造７０が示されている。なお、前述した第１〜第６実施形態に係る電気機械音響変換器の実装構造１０、…、６０と共通する部位には同じ符号を付して重複する説明を省略することとする。【００５５】
この電気機械音響変換器の実装構造７０では、フレーム１２と、筐体１１に収容された電子部品Ｍとの間に介装された支持部材７１を備え、支持部材７１は弾性を有している。
この支持部材７１は、特定の材料や形状に限定されるものではないが、例えば発泡ウレタンゴム等で形成し、第１通気孔１８ａからの空気の逃げを妨げないよう例えば複数個のブロックで構成したり、Ｃ字形のように開口部を有する形状にすることが望ましい。なお、電気機械音響変換器の実装構造７０の動作は、第１実施形態で前述した電気機械音響変換器の実装構造１０と同じである。【００５６】
以上、説明した本発明の第７実施形態に係る電気機械音響変換器の実装構造７０によれば、
前述した第１実施形態と同様に、音響性能を確保できるとともに防磁性および防塵性を向上でき、かつ、フレーム１２と、筐体１１に収容された電子部品Ｍとの間に弾性を有する支持部材７１を設けることにより、当該個所からの空気の逃げを防止して音響性能を向上できる。【００５７】
（第８実施形態）
次に、本発明の第８実施形態に係る電気機械音響変換器の実装構造について説明する。
図９には、第８実施形態に係る電気機械音響変換器の実装構造８０が示されている。なお、前述した第１〜第７実施形態に係る電気機械音響変換器の実装構造１０、…、７０と共通する部位には同じ符号を付して重複する説明を省略することとする。【００５８】
この電気機械音響変換器の実装構造８０では、フレーム１２と、筐体１１に収容された電子部品Ｍとの間に介装された支持部材８１を備え、この支持部材８１が吸振性を有している。この支持部材８１は、特定の材料や形状に限定されるものではないが、例えばシリコン系のゲル状素材等で形成し、第１通気孔１８ａからの空気の逃げを妨げないよう例えば複数個のブロックで構成したり、Ｃ字形のように開口部を有する形状にすることが望ましい。
なお、電気機械音響変換器の実装構造８０の動作は、第１実施形態で前述した電気機械音響変換器の実装構造１０と同じである。【００５９】
以上、説明した本発明の第８実施形態に係る電気機械音響変換器の実装構造８０によれば、前述した第１実施形態と同様に、音響性能を確保できるとともに防磁性および防塵性を向上でき、かつ、フレーム１２と、筐体１１に収容された電子部品Ｍとの間に吸振性を有する支持部材８１を設けることにより、当該個所からの空気の逃げを防止して音響性能を向上できる。【００６０】
なお、以上の説明では、電気機械音響変換器として動電形スピーカを用いていたが、動電形レシーバ等、フレーム１２に対してヨーク１３が突設されているような形状であればどのような電気機械音響変換器を用いても同様の効果が得られる。
また、電気機械音響変換器の外形形状が丸型の場合について説明したが、その他、楕円あるいは長方形であっても同様の効果が得られる。
【産業上の利用可能性】
【００６１】
以上のように、本発明にかかる電気機械音響変換器の実装構造は、筐体の内面に壁部を介して取り付けられているフレームに、有底筒状のヨークをその底部が筐体側に近付く方向で取り付けたので、電気機械音響変換器の厚さを増すことなくヨークと壁部との間に音通路が形成されることになり、良好な音響特性を得ることができる。
あるいは、電気機械音響変換器を小型化しても音通路を確保することができるので、音響特性を維持して小型化を図ることができるという効果を有し、放音孔が設けられた筐体に収容されるスピーカやマイクロフォン等の電気機械音響変換器の実装構造等として有用である。
【図１】
2007135740.tif 000003
【図２】
2007135740.tif 000004
【図３】
2007135740.tif 000005
【図４】
2007135740.tif 000006
【図５】
2007135740.tif 000007
【図６】
2007135740.tif 000008
【図７】
2007135740.tif 000009
【図８】
2007135740.tif 000010
【図９】
2007135740.tif 000011
【図１０】
2007135740.tif 000012
【手続補正書】
【提出日】平成19年9月21日(2007.9.21)
【手続補正１】
【補正対象書類名】特許請求の範囲
【補正対象項目名】全文
【補正方法】変更
【補正の内容】
【特許請求の範囲】
【請求項１】
放音孔が設けられた筐体に収容される電気機械音響変換器の実装構造であって、
前記筐体の内面に取り付けられた略中空板状のフレームと、
前記フレームの中空部に対応して支持されたヨークと、
前記ヨークに設けられたマグネットと、
前記マグネットと併設されたボイスコイルと、
前記ボイスコイルに接続されるとともに前記フレームに支持された振動板と、
前記振動板を保護するために前記フレームに設けられたプロテクタと、
前記プロテクタに設けられた第１通気孔と、
前記第１通気孔に対して前記振動版を介して反対側に設けられた第２通気孔とを備え、
前記ヨークが前記筐体の内面に対して近付く方向を向くように配置されているとともに、前記フレームおよび前記筐体間に壁部が設けられ、
前記第１通気孔は前記筐体内部に放音することを特徴とする電気機械音響変換器の実装構造。
【請求項２】
前記第１通気孔は、前記ボイスコイルの移動方向に対して交差する方向に沿って前記プロテクタの表裏を連通するように設けられていることを特徴とする請求項１に記載の電気機械音響変換器の実装構造。
【請求項３】
前記筐体と前記ヨークの前記底部との間に粘着性を有する介装部材が挟持されていることを特徴とする請求項１または請求項２に記載の電気機械音響変換器の実装構造。
【請求項４】
前記壁部が弾性を有することを特徴とする請求項１および請求項２のうちのいずれかに記載の電気機械音響変換器の実装構造。
【請求項５】
前記壁部が吸振性を有することを特徴とする請求項１および請求項２のうちのいずれかに記載の電気機械音響変換器の実装構造。
【請求項６】
前記プロテクタに設けられたプロテクタ切欠部を有し、前記プロテクタ切欠部が前記ボイスコイルの移動方向に対して交差する方向に沿って前記プロテクタの表裏を連通するように設けられていることを特徴とする請求項１および請求項４のうちのいずれかに記載の電気機械音響変換器の実装構造。
【請求項７】
前記フレームが、厚み方向に立ち上がる立上部と、前記立上部に設けられたフレーム切欠部とを有し、
前記フレーム切欠部が前記ボイスコイルの移動方向に対して交差する方向に沿って前記立上部の内外を連通するように設けられていることを特徴とする請求項１および請求項４のうちのいずれかに記載の電気機械音響変換器の実装構造。
【請求項８】
前記フレームと、前記筐体に収容された電子部品との間に介装された支持部材を備え、
前記支持部材が弾性を有することを特徴とする請求項１および請求項６のうちのいずれかに記載の電気機械音響変換器の実装構造。
【請求項９】
前記フレームと、前記筐体に収容された電子部品との間に介装された支持部材を備え、
前記支持部材が吸振性を有することを特徴とする請求項１および請求項６のうちのいずれかに記載の電気機械音響変換器の実装構造。
【請求項１０】
請求項１乃至請求項８に記載の電気機械音響変換器を有する携帯端末装置。
【手続補正書】
【提出日】平成20年11月14日(2008.11.14)
【手続補正１】
【補正対象書類名】特許請求の範囲
【補正対象項目名】全文
【補正方法】変更
【補正の内容】
【特許請求の範囲】
【請求項１】
放音孔が設けられた筐体に収容される電気機械音響変換器の実装構造であって、
前記筐体の内面に取り付けられた略中空板状のフレームと、
前記フレームの中空部に対応して支持されたヨークと、
前記ヨークに設けられたマグネットと、
前記マグネットと併設されたボイスコイルと、
前記ボイスコイルに接続されるとともに前記フレームに支持された振動板と、
前記振動板を保護するために前記フレームに設けられたプロテクタと、
前記プロテクタに設けられた第１通気孔と、
前記第1通気孔に対して前記振動版を介して反対側に設けられた第２通気孔とを備え、
前記ヨークが前記筐体の内面に対して近付く方向を向くように配置されているとともに、前記フレームおよび前記筐体間に壁部が設けられ、
前記第1通気孔は前記筐体内部に放音することを特徴とする電気機械音響変換器の実装構造。
【請求項２】
前記第１通気孔は、前記ボイスコイルの移動方向に対して交差する方向に沿って前記プロテクタの表裏を連通するように設けられていることを特徴とする請求項１に記載の電気機械音響変換器の実装構造。
【請求項３】
前記筐体と前記ヨークの前記底部との間に粘着性を有する介装部材が挟持されていることを特徴とする請求項１または請求項２に記載の電気機械音響変換器の実装構造。
【請求項４】
前記壁部が弾性を有することを特徴とする請求項１および請求項２のうちのいずれかに記載の電気機械音響変換器の実装構造。
【請求項５】
前記壁部が吸振性を有することを特徴とする請求項１および請求項２のうちのいずれかに記載の電気機械音響変換器の実装構造。
【請求項６】
前記プロテクタに設けられたプロテクタ切欠部を有し、前記プロテクタ切欠部が前記ボイスコイルの移動方向に対して交差する方向に沿って前記プロテクタの表裏を連通するように設けられていることを特徴とする請求項１および請求項４のうちのいずれかに記載の電気機械音響変換器の実装構造。
【請求項７】
前記フレームが、厚み方向に立ち上がる立上部と、前記立上部に設けられたフレーム切欠部とを有し、
前記フレーム切欠部が前記ボイスコイルの移動方向に対して交差する方向に沿って前記立上部の内外を連通するように設けられていることを特徴とする請求項１および請求項４のうちのいずれかに記載の電気機械音響変換器の実装構造。
【請求項８】
前記フレームと、前記筐体に収容された電子部品との間に介装された支持部材を備え、
前記支持部材が弾性を有することを特徴とする請求項１および請求項６のうちのいずれかに記載の電気機械音響変換器の実装構造。
【請求項９】
前記フレームと、前記筐体に収容された電子部品との間に介装された支持部材を備え、
前記支持部材が吸振性を有することを特徴とする請求項１および請求項６のうちのいずれかに記載の電気機械音響変換器の実装構造。
【請求項１０】
請求項１乃至請求項８に記載の電気機械音響変換器を有する携帯端末装置。
【手続補正２】
【補正対象書類名】明細書
【補正対象項目名】全文
【補正方法】変更
【補正の内容】
【発明の詳細な説明】
【技術分野】
【０００１】
本発明は、放音孔が設けられた筐体に収容されるスピーカやマイクロフォン等の電気機械音響変換器の実装構造に関するものである。
【背景技術】
【０００２】
図１０に示すように、従来の一般的な電気機械音響変換器であるスピーカ１００は、放音孔１０１ａが中央部に設けられた筐体１０１を有しており、筐体１０１の内面１０１ｂには立上部１０２を介して略板状のフレーム１０３が取り付けられて内部空間１０４を形成している。
フレーム１０３の中央部には内部空間１０４に対応して支持された有底筒状のヨーク１０５が取り付けられており、ヨーク１０５の底部１０５ａ内側にはマグネット１０６が取り付けられていて、ヨーク１０５の内側面とマグネット１０６との間に磁気空隙１０７を形成している。
【０００３】
なお、マグネット１０６の先端面にはプレート１０８が取り付けられている。磁気空隙１０７にはボイスコイル１０９が挿入されて一端がヨーク１０５の底部１０５ａに取り付けられており、ボイスコイル１０９の他端は振動板１１０の中央部に取り付けられている。
振動板１１０の前方には、振動板１１０を保護するためのプロテクタ１１１が設けられており、プロテクタ１１１には第１通気孔１１１ａ設けられ、フレーム１０３には第２通気孔１０３ａが設けられている。
【０００４】
このようなスピーカ１００では、ヨーク１０５の底部１０５ａが筐体１０１の内面１０１ｂから遠ざかる方向(図１０において下方)を向くように配置されているとともに、フレーム１０３に対してヨーク１０５が小径であるため、フレーム１０３と、筐体１０１に収容された他の電子部品Ｍとの間に空間が形成されている。
ここで、良好な音響特性を得るには、第２通気孔１０３ａから筐体１０１の内部空間１０４へ放音された音をより良く共鳴させるため、第２通気孔１０３ａの周辺に、十分な空間を確保する必要があることは一般的に知られている（例えば、特許文献１参照）。
【特許文献１】特開２００２−１７１５９６号報
【発明の開示】
【発明が解決しようとする課題】
【０００５】
ところで、電気機械音響変換器としてスピーカ１００等を搭載した近年の携帯端末装置では小型化が求められているが、第２通気孔１０３ａの周辺に十分な空間を確保することは筐体１０１の小型化が妨げられるという不都合がある。
【０００６】
本発明は、従来の問題を解決するためになされたものであり、その目的は、音響特性を維持したまま小型化を図ることができる電気機械音響変換器の実装構造を提供することにある。
【課題を解決するための手段】
【０００７】
本発明の電気機械音響変換器の実装構造は、放音孔が設けられた筐体に収容される電気機械音響変換器の実装構造であって、前記筐体の内面に取り付けられた略中空板状のフレームと、前記フレームの中空部に対応して支持された有底筒状のヨークと、前記ヨークの内側面との間に磁気空隙を形成するように前記ヨークの底部に設けられたマグネットと、前記マグネットの端面に設けられたプレートと、前記磁気空隙に挿入されたボイスコイルと、前記ボイスコイルに接続されるとともに前記フレームに支持された振動板と、前記振動板を保護するために前記フレームに設けられたプロテクタと、前記プロテクタに設けられた第１通気孔と、前記フレームに設けられた第２通気孔とを備え、前記ヨークの前記底部が前記筐体の内面に対して近付く方向を向くように配置されているとともに、前記フレームおよび前記筐体間に壁部が設けられている構成を有している。
【０００８】
この構成により、筐体の内面に壁部を介して取り付けられているフレームに、有底筒状のヨークをその底部が筐体側に近付く方向で取り付けたので、電気機械音響変換器の厚さを増すことなくヨークと壁部との間に音通路が形成されることになる。
これにより、良好な音響特性を得ることができる。あるいは、電気機械音響変換器を小型化しても音通路を確保することができるので、音響特性を維持して小型化を図ることができる。
【０００９】
また、本発明の電気機械音響変換器の実装構造は、前記筐体と前記ヨークの前記底部との間に粘着性を有する介装部材が挟持されている構成を有している。
【００１０】
さらに、本発明の電気機械音響変換器の実装構造は、前記壁部が弾性を有する構成を有している。
【００１１】
さらに、本発明の電気機械音響変換器の実装構造は、前記壁部が吸振性を有する構成を有している。
【００１２】
本発明の電気機械音響変換器の実装構造は、前記プロテクタに設けられたプロテクタ切欠部を有し、前記プロテクタ切欠部が前記ボイスコイルの移動方向に対して交差する方向に沿って前記プロテクタの表裏を連通するように設けられている構成を有している。
【００１３】
また、本発明の電気機械音響変換器の実装構造は、前記フレームが、厚み方向に立ち上がる立上部と、前記立上部に設けられたフレーム切欠部とを有し、前記フレーム切欠部が前記ボイスコイルの移動方向に対して交差する方向に沿って前記立上部の内外を連通するように設けられている構成を有している。
【００１４】
さらに、本発明の電気機械音響変換器の実装構造は、前記フレームと、前記筐体に収容された電子部品との間に介装された支持部材を備え、前記支持部材が弾性を有する構成を有している。
【００１５】
さらに、本発明の電気機械音響変換器の実装構造は、前記フレームと、前記筐体に収容された電子部品との間に介装された支持部材を備え、前記支持部材が吸振性を有する構成を有している。
【発明の効果】
【００１６】
本発明は、筐体の内面に壁部を介して取り付けられているフレームに、有底筒状のヨークをその底部が筐体側に近付く方向で取り付けたので、電気機械音響変換器の厚さを増すことなくヨークと壁部との間に音通路が形成されることになり、良好な音響特性を得ることができる。あるいは、電気機械音響変換器を小型化しても音通路を確保することができるので、音響特性を維持して小型化を図ることができるという効果を有する電気機械音響変換器の実装構造を提供することができるものである。
【発明を実施するための最良の形態】
【００１７】
以下、本発明の実施形態の電気機械音響変換器の実装構造について、図面を用いて説明する。
【００１８】
（第１実施形態）
本発明の第１実施形態の電気機械音響変換器の実装構造を図１に示す。
図１において、第１実施形態に係るスピーカやマイクロフォン等の電気機械音響変換器の実装構造１０は、放音孔１１ａが設けられた筐体１１の内面１１ｂに取り付けられた略中空板状のフレーム１２と、このフレーム１２の中空部に対応して支持された有底筒状のヨーク１３と、このヨーク１３の内側面１３ａとの間に磁気空隙１５ｃを形成するようにヨーク１３の底部１３ｂに設けられたマグネット１５と、マグネット１５の端面１５ａに設けられたプレート１５ｂと、磁気空隙１５ｃに挿入されたボイスコイル１６と、このボイスコイル１６に接続されるとともにフレーム１２に支持された振動板１７と、この振動板１７を保護するためにフレーム１２に設けられたプロテクタ１８とを備えている。
【００１９】
プロテクタ１８には第１通気孔１８ａが設けられ、フレーム１２には第２通気孔１２ａが設けられている。
そして、ヨーク１３の底部１３ｂが筐体１１の内面１１ｂに対して近付く方向（図１では上方向）を向くように配置されているとともに、フレーム１２および筐体１１間に壁部１９が設けられている。
【００２０】
筐体１１には、例えば中心線ＣＬを中心とした円を複数に分割した部分円弧状に切欠いた放音孔１１ａが設けられている。壁部１９は、放音孔１１ａの外側に同心円状に設けられており、壁部１９の内側端面にフレーム１２が取り付けられている。
フレーム１２に設けられている第２通気孔１２ａは、壁部１９の内側において筐体１１の放音孔１１ａに対向して部分円弧状に切り欠いて設けられている。
【００２１】
フレーム１２の中央部は円形に切りかかれており、有底筒状のヨーク１３が筐体１１側に突出するように設けられている。
従って、筐体１１、壁部１９、フレーム１２およびヨーク１３の縦壁部１３ｃによって四方を囲まれた音通路１４が形成され、音通路１４の前面には放音孔１１ａ、後面には第２通気孔１２ａが設けられることになる。
【００２２】
フレーム１２に設けられている第２通気孔１２ａは、フレーム１２と振動板１７との間の空気を逃がすためのものであり、振動板１７により発せられた音を音通路１４を介して放音孔１１ａに導く。
一方、プロテクタ１８には第１通気孔１８ａが設けられており、立上り部１８ｂおよび鍔部１８ｃを介してフレーム１２の下面に取り付けられている。第１通気孔１８ａは、振動板１７とプロテクタ１８との間の空気を逃がすためのものであり、例えば、プロテクタ１８の全面にわたって円形等の貫通孔を複数個設けてある。
【００２３】
なお、第２通気孔１２ａから放音された音と第１通気孔１８ａから放音された音とが互いに位相干渉を起こさぬように、音通路１４に面するフレーム１２の接合部には、気密性が必要となる。そのため、例えばフレーム１２と壁部１９との間の接合部には、互いに突設させた形状を組み合わせたり、粘着性のある両面テープなどを使用して気密性を確保することが望ましい。
【００２４】
また、第１通気孔１８ａから放音された音を筐体１１内部の空間でより良く共鳴させるために、第１通気孔１８ａには、十分に大きな面積を確保した切欠きを設けることが望ましい。
【００２５】
さらに、プロテクタ１８は、特定の材料や形状に限定されるものではないが、例えば金属等で形成し、厚みは電気機械音響変換器の放音によって異常音が発生しない程度の厚みを確保することが望ましい。
【００２６】
また、プロテクタ１８と筐体１１内部の部品Ｍとの隙間は、電気機械音響変換器の放音によってプロテクタ１８が振動して部品Ｍと接触して異常音が発生しない程度の最低限の隙間を確保することが望ましい。
【００２７】
次に、図１に基づいて、電気機械音響変換器の実装構造１０の動作について説明する。
電気機械音響変換器としては例えば動電形スピーカを例示することができる。この動電形スピーカにおける磁気空隙１５ｃに挿入されたボイスコイル１６に電気信号が印加されると、ボイスコイル１６に駆動力が発生し、ボイスコイル１６に接続された振動板１７が振動してフレーム１２内部の空気に圧力変化を発生させる。この圧力変化は、第２通気孔１２ａを介して音通路１４および放音孔１１ａを経て筐体１１の外部空間へ音を発生する。
一方、第１通気孔１８ａを介し発生した音は筐体１１内部で共鳴する。このとき、第１通気孔１８ａ周辺の容積が大きいほど良好な音響特性が得られる。
【００２８】
次に、本発明に係る電気機械音響変換器の実装構造１０の音響特性について、図２を参照して、実験解析を用いて説明する。
図２は、図１０に示した従来の電気機械音響変換器であるスピーカ１００と、図１において前述した本発明の電気機械音響変換器の実装構造１０における、音圧周波数特性を示す相関図である。なお、以下に示す具体的な数値は、あくまで本発明の効果を定量的に把握するために設定した数値であり、数値そのものは例示であって、これら個別の数値が本発明の本質に対するいかなる制約にもならないものである。
【００２９】
図２の実験解析において、従来のスピーカ１００および本発明の電気機械音響変換器の実装構造１０は、ともに口径φ１４ｍｍ、厚みｔ２．９ｍｍの動電形スピーカを用いており、筐体１１、１０１の形状は同一とする。また、筐体１１、１０１と筐体内部の部品Ｍとの距離は３．５ｍｍと同一である。
ただし、従来のスピーカ１００では、筐体１０１とプロテクタ１１１との隙間を０．５ｍｍ、ヨーク１０５と筐体内部の部品Ｍとの隙間を０．１ｍｍとする。
【００３０】
本発明の電気機械音響変換器の実装構造１０では、筐体１１とヨーク１３との隙間を０．１ｍｍ、プロテクタ１８と筐体内部の部品Ｍとの隙間を０．５ｍｍとする。
そして、放音孔１１ａから０．１ｍ離れた位置にそれぞれ同機種のマイクを設置して、従来のスピーカ１００と本発明の電気機械音響変換器の実装構造１０に、ともに０．２Ｗの電力を印加した設定で実験解析を行った。
【００３１】
図２において破線で示す特性Ｉは、従来のスピーカ１００の測定結果である。特性IIは実線で示されており、本発明の電気機械音響変換器の実装構造１０の測定結果である。
図２に示すように、特性IIは特性Ｉに比べ、約１０００Ｈｚ〜５０００Ｈｚにおいて音圧レベルが約１ｄＢ向上している。これは、一般的には、電気機械音響変換器と筐体内部の部品Ｍとの隙間が狭くなるにつれて、各通気孔１８ａ、１２ｂ、１１１ａ、１０３ａからの空気が逃げ難くなり、音圧の劣化を招くことを意味している。
しかし、本発明に係る電気機械音響変換器の実装構造１０においては、第２通気孔１２ｂに比べ第１通気孔１８ａの開口面積が約２〜５倍大きいため、従来のスピーカ１００に比べ本発明に係る電気機械音響変換器の実装構造１０では第１通気孔１８ａからの空気の逃げが容易となり、音圧の劣化は少なくなる。
【００３２】
仮に、従来のスピーカ１００と同一の音圧の劣化を許容するならば、本発明の電気機械音響変換器の実装構造１０ではプロテクタ１８と筐体１１内部の部Ｍとの隙間を縮めることが可能であり、さらに薄型化が可能となる。
【００３３】
また、動電形スピーカは、マグネット１５、１０６を構成部品とするため、筐体１１、１０１の外部に対して漏洩磁束を発生する。
ここで、従来のスピーカ１００において筐体１０１と対向する部品はプロテクタ１１１であり、本発明に係る電気機械音響変換器の実装構造１０において筐体１１と対向する部品はヨーク１３である。各々の部品ともに特定の材料や形状に限定されるものではないが、例えば同一の金属で形成した場合、プロテクタ１１１に比べヨーク１３の厚みは約２倍〜４倍厚いため、筐体１１の外部に対する漏洩磁束は約３０％軽減することになる。
これは、磁気記憶型の非接触ＩＣカードの信頼性に対して有意である。
【００３４】
次に、本発明に係る電気機械音響変換器の実装構造１０においては、第１通気孔１８ａに比べ第２通気孔１２ａの開口面積が約１／２〜１／５と小さくすることにより、放音孔１１ａから鋭利な物が挿入した場合、第２通気孔１２ａが振動板１７を保護する可能性も高まる。
これは、カバンの中に機器を入れておいた場合等の信頼性に対して有意である。
【００３５】
以上、説明した電気機械音響変換器の実装構造１０によれば、筐体１１の内面１１ｂに壁部１９を介して取り付けられているフレーム１２に、有底筒状のヨーク１３をその底部１３ｂが筐体１１側に近付く方向で取り付けたので、電気機械音響変換器の厚さを増すことなくヨーク１３と壁部１９との間に十分な空間を有する音通路１４が形成されることになる。
これにより、良好な音響特性を得ることができる。あるいは、電気機械音響変換器を小型化しても音通路１４を確保することができるので、音響特性を維持して小型化を図ることができる。
【００３６】
（第２実施形態）
次に、本発明の第２実施形態に係る電気機械音響変換器の実装構造について説明する。
図３には、第２実施形態に係る電気機械音響変換器の実装構造２０が示されている。なお、前述した第１実施形態に係る電気機械音響変換器の実装構造１０と共通する部位には同じ符号を付して重複する説明を省略することとする。
【００３７】
この電気機械音響変換器の実装構造２０では、筐体１１とヨーク１３の底部１３ｂとの間に粘着性を有する介装部材２１が挟持されている。
この粘着材２１は、例えば粘着性のある両面テープなどを使用して安定した接着を確保することが望ましい。
なお、電気機械音響変換器の実装構造２０の動作は、前述した第１実施形態で説明した電気機械音響変換器の実装構造１０と同様である。
【００３８】
以上、説明した本発明の第２実施形態に係る電気機械音響変換器の実装構造２０によれば、前述した第１実施形態と同様に、音響性能を確保できるとともに防磁性および防塵性を向上でき、かつ、筐体１１とヨーク１３の底部１３ｂとの間に粘着性を有する介装部材２１を設けることにより、筐体１１に対してヨーク１３を固定できる。
【００３９】
（第３実施形態）
次に、本発明の第３実施形態に係る電気機械音響変換器の実装構造について説明する。
図４には、第３実施形態に係る電気機械音響変換器の実装構造３０が示されている。なお、前述した第１実施形態あるいは第２実施形態に係る電気機械音響変換器の実装構造１０、２０と共通する部位には同じ符号を付して重複する説明を省略することとする。
【００４０】
この電気機械音響変換器の実装構造３０では、壁部３１が弾性を有する部材から構成されている。
すなわち、音通路１４の一側面を弾性部材によって構成している。この弾性体は、特定の材料や形状に限定されるものではないが、例えば発泡ウレタンゴム等で形成し、電気機械音響変換器のフレーム１２と筐体１１とで挟持させ気密性を確保することが望ましい。
【００４１】
また、弾性体である壁部３１と接触するフレーム１２と筐体１１は、粘着性のある両面テープなどを使用して気密性を確保することが望ましい。
なお、電気機械音響変換器の実装構造３０の動作は、第１実施形態で前述した電気機械音響変換器の実装構造１０と同じである。
【００４２】
以上、説明した本発明の第３実施形態に係る電気機械音響変換器の実装構造３０によれば、前述した第１実施形態と同様に、音響性能を確保できるとともに防磁性および防塵性を向上でき、かつ、壁部３１が弾性を有するため耐震性を向上できる。
【００４３】
（第４実施形態）
次に、本発明の第４実施形態に係る電気機械音響変換器の実装構造について説明する。
図５には、第４実施形態に係る電気機械音響変換器の実装構造４０が示されている。
なお、前述した第１実施形態〜第３実施形態に係る電気機械音響変換器の実装構造１０、２０、３０と共通する部位には同じ符号を付して重複する説明を省略することとする。
【００４４】
この電気機械音響変換器の実装構造４０では、壁部４１が吸振性を有する部材から構成されている。この吸振性を有する壁部４１は、特定の材料や形状に限定されるものではないが、例えばシリコン系のゲル状素材等で形成し、フレーム１２と筐体１１とで挟持させ気密性を確保することが望ましい。また、壁部４１と接触するフレーム１２と筐体１１には、互いに突設させた形状によって気密性を確保することが望ましい。
なお、電気機械音響変換器の実装構造４０の動作は、第１実施形態で前述した電気機械音響変換器の実装構造１０と同じである。
【００４５】
以上、説明した本発明の第４実施形態に係る電気機械音響変換器の実装構造４０によれば、前述した第１実施形態と同様に、音響性能を確保できるとともに防磁性および防塵性を向上でき、かつ、壁部４１が吸振性を有するため耐震性を向上できる。
【００４６】
（第５実施形態）
次に、本発明の第５実施形態に係る電気機械音響変換器の実装構造について説明する。
図６には、第５実施形態に係る電気機械音響変換器の実装構造５０が示されている。なお、前述した第１〜第４実施形態に係る電気機械音響変換器の実装構造１０、…、４０と共通する部位には同じ符号を付して重複する説明を省略することとする。
【００４７】
この電気機械音響変換器の実装構造５０では、プロテクタ１８に設けられたプロテクタ切欠部５１を有し、このプロテクタ切欠部５１が、ボイスコイル１６の移動方向(図６において上下方向)に対して交差する方向(図６において左右方向)に沿ってプロテクタ１６の表裏を連通するように設けられている。このプロテクタ切欠部５１は、特定の形状に限定されるものではないが、例えばプロテクタ１８の立上り部１８ｂを図６中水平方向に貫通して、第１通気孔１８ａからの空気の逃げがより容易になるようにしている。
なお、電気機械音響変換器の実装構造５０の動作は、第１実施形態で前述した電気機械音響変換器の実装構造１０と同じである。
【００４８】
以上、説明した本発明の第５実施形態に係る電気機械音響変換器の実装構造５０によれば、前述した第１実施形態と同様に、音響性能を確保できるとともに防磁性および防塵性を向上でき、かつ、プロテクタ１８にプロテクタ切欠部５１を設けることにより、空気の逃げがより容易となって音響性能を向上できる。
【００４９】
（第６実施形態）
次に、本発明の第６実施形態に係る電気機械音響変換器の実装構造について説明する。
図７には、第６実施形態に係る電気機械音響変換器の実装構造６０が示されている。なお、前述した第１〜第５実施形態に係る電気機械音響変換器の実装構造１０、…、５０と共通する部位には同じ符号を付して重複する説明を省略することとする。
【００５０】
この電気機械音響変換器の実装構造６０では、フレーム１２が、厚み方向に立ち上がる立上部６１と、この立上部６１に設けられたフレーム切欠部６２とを有し、フレーム切欠部６２がボイスコイル１６の移動方向に対して交差する方向(図７において左右方向)に沿って立上部６１の内外を連通するように設けられている。このフレーム切欠部６２は、特定の形状に限定されるものではないが、電気機械音響変換器の水平方向に向け、第１通気孔１８ａからの空気の逃げがより容易になるように設けることが望ましい。
なお、電気機械音響変換器の実装構造６０の動作は、第１実施形態で前述した電気機械音響変換器の実装構造１０と同じである。
【００５１】
以上、説明した本発明の第６実施形態に係る電気機械音響変換器の実装構造６０によれば、前述した第１実施形態と同様に、音響性能を確保できるとともに防磁性および防塵性を向上でき、かつ、フレーム１２に厚み方向に立ち上がる立上部６１を設け、この立上部６１にフレーム切欠部６２を設けることにより、空気の逃げがより容易となって音響性能を向上できる。
【００５２】
（第７実施形態）
次に、本発明の第７実施形態に係る電気機械音響変換器の実装構造について説明する。
図８には、第７実施形態に係る電気機械音響変換器の実装構造７０が示されている。なお、前述した第１〜第６実施形態に係る電気機械音響変換器の実装構造１０、…、６０と共通する部位には同じ符号を付して重複する説明を省略することとする。
【００５３】
この電気機械音響変換器の実装構造７０では、フレーム１２と、筐体１１に収容された電子部品Ｍとの間に介装された支持部材７１を備え、支持部材７１は弾性を有している。
この支持部材７１は、特定の材料や形状に限定されるものではないが、例えば発泡ウレタンゴム等で形成し、第１通気孔１８ａからの空気の逃げを妨げないよう例えば複数個のブロックで構成したり、Ｃ字形のように開口部を有する形状にすることが望ましい。なお、電気機械音響変換器の実装構造７０の動作は、第１実施形態で前述した電気機械音響変換器の実装構造１０と同じである。
【００５４】
以上、説明した本発明の第７実施形態に係る電気機械音響変換器の実装構造７０によれば、前述した第１実施形態と同様に、音響性能を確保できるとともに防磁性および防塵性を向上でき、かつ、フレーム１２と、筐体１１に収容された電子部品Ｍとの間に弾性を有する支持部材７１を設けることにより、当該個所からの空気の逃げを防止して音響性能を向上できる。
【００５５】
（第８実施形態）
次に、本発明の第８実施形態に係る電気機械音響変換器の実装構造について説明する。
図９には、第８実施形態に係る電気機械音響変換器の実装構造８０が示されている。なお、前述した第１〜第７実施形態に係る電気機械音響変換器の実装構造１０、…、７０と共通する部位には同じ符号を付して重複する説明を省略することとする。
【００５６】
この電気機械音響変換器の実装構造８０では、フレーム１２と、筐体１１に収容された電子部品Ｍとの間に介装された支持部材８１を備え、この支持部材８１が吸振性を有している。この支持部材８１は、特定の材料や形状に限定されるものではないが、例えばシリコン系のゲル状素材等で形成し、第１通気孔１８ａからの空気の逃げを妨げないよう例えば複数個のブロックで構成したり、Ｃ字形のように開口部を有する形状にすることが望ましい。
なお、電気機械音響変換器の実装構造８０の動作は、第１実施形態で前述した電気機械音響変換器の実装構造１０と同じである。
【００５７】
以上、説明した本発明の第８実施形態に係る電気機械音響変換器の実装構造８０によれば、前述した第１実施形態と同様に、音響性能を確保できるとともに防磁性および防塵性を向上でき、かつ、フレーム１２と、筐体１１に収容された電子部品Ｍとの間に吸振性を有する支持部材８１を設けることにより、当該個所からの空気の逃げを防止して音響性能を向上できる。
【００５８】
なお、以上の説明では、電気機械音響変換器として動電形スピーカを用いていたが、動電形レシーバ等、フレーム１２に対してヨーク１３が突設されているような形状であればどのような電気機械音響変換器を用いても同様の効果が得られる。
また、電気機械音響変換器の外形形状が丸型の場合について説明したが、その他、楕円あるいは長方形であっても同様の効果が得られる。
【産業上の利用可能性】
【００５９】
以上のように、本発明にかかる電気機械音響変換器の実装構造は、筐体の内面に壁部を介して取り付けられているフレームに、有底筒状のヨークをその底部が筐体側に近付く方向で取り付けたので、電気機械音響変換器の厚さを増すことなくヨークと壁部との間に音通路が形成されることになり、良好な音響特性を得ることができる。
あるいは、電気機械音響変換器を小型化しても音通路を確保することができるので、音響特性を維持して小型化を図ることができるという効果を有し、放音孔が設けられた筐体に収容されるスピーカやマイクロフォン等の電気機械音響変換器の実装構造等として有用である。
【図面の簡単な説明】
【００６０】
【図１】本発明の第１実施形態に係る電気機械音響変換器の実装構造を示す構造図
【図２】本発明の第１実施形態の音圧周波数特性をしめすグラフである。
【図３】本発明の第２実施形態に係る電気機械音響変換器の実装構造を示す構造図である。
【図４】本発明の第３実施形態に係る電気機械音響変換器の実装構造を示す構造図である。
【図５】本発明の第４実施形態に係る電気機械音響変換器の実装構造を示す構造図である。
【図６】本発明の第５実施形態に係る電気機械音響変換器の実装構造を示す構造図である。
【図７】本発明の第６実施形態に係る電気機械音響変換器の実装構造を示す構造図である。
【図８】本発明の第７実施形態に係る電気機械音響変換器の実装構造を示す構造図である。
【図９】本発明の第８実施形態に係る電気機械音響変換器の実装構造を示す構造図である。
【図１０】従来の構成における電気機械音響変換器の実装構造を示す構造図である。
【符号の説明】
【００６１】
１０  電気機械音響変換器の実装構造
１１  筐体
１１ａ  放音孔
１２  フレーム
１２ａ  第２通気孔
１３  ヨーク
１３ａ  内側面
１３ｂ  底部
１５  マグネット
１５ａ  端面
１５ｂ  プレート
１５ｃ  磁気空隙
１６  ボイスコイル
１７  振動板
１８  プロテクタ
１８ａ  第１通気孔
１９  壁部
２１  介装部材
５１  プロテクタ切欠部
６１  立上部
６２  フレーム切欠部
７１  支持部材
８１  支持部材
Ｍ  電子部品
【手続補正３】
【補正対象書類名】図面
【補正対象項目名】全図
【補正方法】変更
【補正の内容】
【図１】
2007135740.tif 000013
【図２】
2007135740.tif 000014
【図３】
2007135740.tif 000015
【図４】
2007135740.tif 000016
【図５】
2007135740.tif 000017
【図６】
2007135740.tif 000018
【図７】
2007135740.tif 000019
【図８】
2007135740.tif 000020
【図９】
2007135740.tif 000021
【図１０】
2007135740.tif 000022
【国際調査報告】
2007135740.tif 000023
2007135740.tif 000024